(57)【特許請求の範囲】
【請求項１】
ガイドレールに係合するガイドローラを回転可能に軸支した移動体と、この移動体に上下方向にのみ移動可能に設けられ前記移動体から突出した先端側を開閉体に取り付けるシャフトと、このシャフトを前記移動体に上下方向に移動調整するシャフト調整手段とを具備し、
前記シャフト調整手段は、
前記シャフトの外周面に螺合した状態で前記移動体に回転可能に嵌合され被回転歯車部を外周面に形成し回転により前記シャフトを移動させるシャフト移動歯車体と、
前記移動体に回転可能に嵌合され前記シャフト移動歯車体の被回転歯車部に噛合しこのシャフト移動歯車体を回転させる歯車部を基端側に形成するとともに前記移動体の外面に配置される操作部を先端側に形成し前記シャフト移動歯車体を回転させる回転調整体と、
を備えている
ことを特徴とする開閉体移動装置。
【請求項２】
シャフト移動歯車体の被回転歯車部は傘歯車にて形成し、回転調整体は、移動体にシャフトの先端側から基端側に向かって傾斜して交叉する状態で回転可能に嵌合され、この回転調整体の基端側に形成した歯車部は前記傘歯車に噛合した傘歯車にて形成した
ことを特徴とする請求項１記載の開閉体移動装置。
【発明の詳細な説明】
【０００１】
【発明の属する技術分野】
本発明は、たとえば、折り戸、引き戸等の開閉体を開閉移動する開閉体移動装置に関する。
【０００２】
【従来の技術】
従来、この種の開閉体移動装置としては、たとえば、ガイドレールに係合するガイドローラを回転可能に軸支した移動体に開閉体に取り付けるシャフトを上下方向に移動可能に設け、このシャフトを上下方向に移動調整するシャフト調整手段を設け、前記シャフト調整手段は、前記シャフトに固定され下方に向かって縮径した被係合面を外周に形成したシャフト移動体と、前記移動体に進退可能に螺合され前記シャフト移動体の被係合面が係合した係合面を基端側に形成するとともに前記移動体の外面に配置され操作部を先端側に形成した回転調整体とを備えた構成が知られている。
【０００３】
そして、操作部の調整操作で移動体に螺合した回転調整体を回転しこの回転調整体を移動体に対して上下方向に移動させてシャフト移動体を上下動させるとともにシャフトを上下方向に調整するようになっている。
【０００４】
【発明が解決しようとする課題】
前記従来の開閉体移動装置では、開閉体を設ける位置の上部に配設した上部のガイドレールに移動体のガイドローラを係合した状態で、シャフトを上方に移動調整するときは、回転調整体の係合面にシャフト移動体の被係合面が係合しているため、この回転調整体の係合面でシャフト移動体の被係合面を押動してこのシャフト移動体を押し上げる強い押動力を必要とし、シャフトを簡単かつ確実に上方に移動調整できない、という問題がある。
【０００５】
本発明は、このような点に鑑みてなされたもので、開閉体に取り付けるシャフトを上下方向に簡単にかつ確実に調整することができ、シャフトを上下方向に調整する調整操作が容易な開閉体移動装置を提供することを目的とするものである。
【０００６】
【課題を解決するための手段】
請求項１記載の開閉体移動装置は、ガイドレールに係合するガイドローラを回転可能に軸支した移動体と、この移動体に上下方向にのみ移動可能に設けられ前記移動体から突出した先端側を開閉体に取り付けるシャフトと、このシャフトを前記移動体に上下方向に移動調整するシャフト調整手段とを具備し、前記シャフト調整手段は、前記シャフトの外周面に螺合した状態で前記移動体に回転可能に嵌合され被回転歯車部を外周面に形成し回転により前記シャフトを移動させるシャフト移動歯車体と、前記移動体に回転可能に嵌合され前記シャフト移動歯車体の被回転歯車部に噛合しこのシャフト移動歯車体を回転させる歯車部を基端側に形成するとともに前記移動体の外面に配置される操作部を先端側に形成し前記シャフト移動歯車体を回転させる回転調整体と、を備えているものである。
【０００７】
そして、移動体の外面に配置した操作部の調整操作で回転調整体が回転されると、この回転調整体の歯車部にてシャフト移動歯車体に形成した被回転歯車部が確実に回転されるとともに、シャフトの外周面に螺合したシャフト移動歯車体がシャフトを上下に移動させる方向に確実に回転される。
【０００８】
また、このシャフト移動歯車体の回転でこのシャフト移動歯車体にて開閉体に先端側を取り付けたシャフトが上下方向に確実に調整され、開閉体が移動体に対して上下位置を調整される。
【０００９】
したがって、開閉体に取り付けるシャフトが上下方向に簡単かつ確実に調整され、このシャフトを上下方向に調整する調整操作が容易である。
【００１０】
請求項２記載の開閉体移動装置は、請求項１記載の開閉体移動装置において、シャフト移動歯車体の被回転歯車部は傘歯車にて形成し、回転調整体は、移動体にシャフトの先端側から基端側に向かって傾斜して交叉する状態で回転可能に嵌合され、この回転調整体の基端側に形成した歯車部は前記傘歯車に噛合した傘歯車にて形成したものである。
【００１１】
そして、回転調整体の先端側の操作部の調整操作で、この回転調整体が回転されると、この回転調整体の基端側の傘歯車及びこの傘歯車に噛合したシャフト移動歯車体の傘歯車にてシャフトの基端側に向かって傾斜して交叉する状態で回転される回転調整体の回転が上下方向のシャフトに螺合したシャフト移動歯車体に伝達され、このシャフト移動歯車体が確実に回転される。
【００１２】
また、回転調整体が移動体にシャフトの先端側から基端側に向かって傾斜して交叉する状態で回転可能に嵌合されていることにより、この回転調整体の先端側の操作部がシャフトの先端側から離れた位置で移動体の外面に配設され、シャフトを取り付けた開閉体によって操作部の調整操作がやりにくくなることを防止できる。
【００１３】
【発明の実施の形態】
以下、本発明の一実施の形態を図面を参照して説明する。
【００１４】
図１及び図２において、１は開閉体移動装置で、この開閉体移動装置１は、ガイドレール２に係合するガイドローラ３を回転可能に軸支した移動体４と、この移動体４に上下方向にのみ移動可能に設けられ前記移動体４から突出した先端側５を開閉体６に取り付けるシャフト７と、このシャフト７を前記移動体４に上下方向に移動調整するシャフト調整手段８とを具備している。
【００１５】
そして、前記ガイドレール２は前記移動体４を開閉移動させる建物の開口部の梁、家具の開口部の天板部及び間仕切り部の天井等の上面側に水平状に配設固定されている。前記ガイドレール２は、図４及び図５に示すように、レール本体２ａに所定の間隔で離間して２条が平行に形成され、これらガイドレール２は前記ガイドローラ３の外周面が係合するように下方に向かって突出する凸円弧状に形成されている。また、前記２条のガイドレール２間には前記移動体４が移動する通路２ｂが形成されている。
【００１６】
また、前記移動体４は、図１、図２及び図５に示すように、この移動体４の移動方向に長手方向を有した平面視矩形状のブロック部材９にて形成されている。
【００１７】
前記ブロック部材９は、二分割して形成された一対のブロック体９ａ，９ｂにて形成され、このブロック体９ａ，９ｂの長手方向の両側に互いに連通するボルト挿通孔９ｃがそれぞれ形成され、これらボルト挿通孔９ｃの一方側から他方側のボルト挿通孔９ｃに固定されたナット９ｄにボルト９ｅがそれぞれ螺着され、これらボルト９ｅとナット９ｄとにより、一対のブロック体９ａ，９ｂがそれぞれの対向面９ｆを接合した状態で着脱可能に固着されている。
【００１８】
また、前記移動体４にはこの移動体４の両端側に位置してこの移動体４の移動方向に対して交叉する方向に軸方向を有したローラ支軸１０がそれぞれ固定され、これらローラ支軸１０の両端部に前記移動体４の両側に位置して前記ガイドローラ３がそれぞれ回転可能に軸支されている。そして、前記各ガイドローラ３は前記ガイドレール２にそれぞれ移動可能に係合されている。
【００１９】
また、前記移動体４にこの移動体４の中間部すなわち、前記一対のブロック体９ａ，９ｂの対向面９ｆに位置して上下方向に貫通した収容室１１が形成され、この収容室１１は、この収容室１１の上部に形成された平面視略矩形状の収容部１２と、この収容室１１の下部に形成された中空円筒状の嵌合部１３とを有し、この嵌合部１３は前記収容部１２の一端側に連通して形成されている。そして、前記嵌合部１３は中空円筒状の嵌合孔１３ａ  にて形成されている。
【００２０】
また、前記収容部１２の一端側の内壁面に、図１及び図２に示すように、多角形状の回り止め部１４が形成されている。また、前記嵌合部１３には前記収容部１２側の内壁面にこの嵌合部１３の内径より大径の環状凹部１５が形成されているとともに、前記移動体４の下面側に開口した前記嵌合部１３の開口縁に環状の係合縁部１６が嵌合部１３の中心に向かって突出して形成されている。
【００２１】
さらに、前記収容部１２の他端側に位置して、図１及び図２に示すように、前記移動体４に、すなわち、前記一対のブロック体９ａ，９ｂの対向面９ｆに前記シャフト７の先端側である前記移動体４の他端側の下側角部１７から前記シャフト７の基端側に向かってシャフト７の軸心に対して所定の傾斜角度で傾斜して交叉する状態の嵌合部１８が形成されている。この嵌合部１８は、中空円筒状の嵌合孔１９にて形成され、この嵌合孔１９の基端側が前記収容部１２の他端側の内壁面に開口され、この嵌合孔１９の先端側が前記移動体４の他端側の下側角部１７に開口されている。
【００２２】
つぎに、前記シャフト７は、このシャフト７の外周面に軸方向に雄ねじ２０を有している。また、シャフト７は、このシャフト７の基端側に前記収容部１２の一端側の内壁面に形成した回り止め部１４内に上下方向にのみ移動可能に嵌合した多角形状の被回り止め部２１を有している。
【００２３】
そして、前記シャフト７は、前記被回り止め部２１が前記回り止め部１４内に回り止めされて前記収容室１１に上下方向にのみ移動可能に設けられ、この収容室１１の前記嵌合孔１３ａ  から前記シャフト７の先端側５が突出されている。前記シャフト７は、上下方向に軸方向を有し基端側に多角形状のボルト頭部を有したボルトにて形成されている。
【００２４】
また、前記シャフト７の先端側５にはこの先端側５の外周面を被覆する中空円筒状の上下のカラー２２，２３がそれぞれ嵌合され、上部のカラー２２の上端部が前記移動体４に形成した前記係合縁部１６内に嵌合され、この上部のカラー２２の上端縁部に前記係合縁部１６の上面に当接した環状の当接縁部２４が形成されている。この当接縁部２４の当接上面は滑りやすい滑動面に形成されている。
【００２５】
また、前記下部のカラー２３の下端部にこの下部のカラー２３の外周面から突出した抜止め用フランジ２５が環状に形成されている。そして、前記上下のカラー２２，２３に対して前記シャフト７が上下方向に移動されるようになっている。
【００２６】
なお、前記シャフト７の先端側５に前記上下のカラー２２，２３を介して前記開閉体６の上端側に埋設固定される図示しない開閉体連結具が取り付けられるようになっている。
【００２７】
つぎに、前記シャフト調整手段８は、前記シャフト７の外周面に螺合した状態で前記移動体４に回転可能に嵌合され前記シャフト７を移動させるシャフト移動歯車体２７と、前記移動体４に回転可能に嵌合され前記シャフト移動歯車体２７を回転させる回転調整体３０と、を備えている。
【００２８】
そして、前記シャフト移動歯車体２７は被回転歯車部２６を外周面に形成し回転により前記シャフト７を移動させるようになっている。また、前記回転調整体３０は前記シャフト移動歯車体２７の被回転歯車部２６に噛合しこのシャフト移動歯車体２７を回転させる歯車部２８を基端側に形成するとともに前記移動体４の外面に配置される操作部２９を先端側に形成している。
【００２９】
また、前記シャフト移動歯車体２７は、前記移動体４に形成した前記嵌合部１３の嵌合孔１３ａ  内に回転可能に嵌合された円筒状の本体部３１を有し、この本体部３１の基端側の外周面に前記被回転歯車部２６が一体に形成され、この被回転歯車部２６が前記嵌合部１３に形成した前記環状凹部１５内に回転可能に嵌合されている。
【００３０】
また、前記シャフト移動歯車体２７の前記本体部３１は、前記シャフト７の外周面に形成した前記雄ねじ２０に螺合した雌ねじ３２を内周面に形成したねじ孔３３を有している。また、前記被回転歯車部２６は傘歯車３４にて形成されている。
【００３１】
そして、前記本体部３１の下端部が前記上部のカラー２２の当接縁部２４の滑動面に回転可能に当接するとともに、前記被回転歯車部２６が前記嵌合部１３に形成した前記環状凹部１５内に位置した状態で、このシャフト移動歯車体２７が軸方向に移動することなく前記嵌合部１３の嵌合孔１３ａ  内で回転されるようになっている。
【００３２】
また、前記回転調整体３０は、前記移動体４に前記シャフト７の先端側から基端側に向かって傾斜して交叉する状態に形成した前記嵌合部１８の嵌合孔１９内に回転可能に嵌合されている。すなわち、前記回転調整体３０は、前記移動体４に形成した前記嵌合部１８の嵌合孔１９内に回転可能に嵌合された円筒状の本体部３５を有し、この本体部３５の基端側の外周面に前記歯車部２８が一体に形成され、この歯車部２８が前記移動体４に形成した前記収容室１１の収容部１２内に回転可能に配設されている。
【００３３】
また、前記本体部３５の基端側の外周面に形成した前記歯車部２８が前記嵌合孔１９の内径より大径に形成され、この歯車部２８にて本体部３５が前記移動体４の外面である前記下側角部１７に向かって移動しないように抜止めされている。また、前記回転調整体３０の本体部３５の基端側に形成した前記歯車部２８は前記被回転歯車部２６の傘歯車３４に噛合した傘歯車３６にて形成されている。
【００３４】
また、前記本体部３５の先端側に前記操作部２９が形成され、この操作部２９が前記移動体４の外面である前記下側角部１７に配設され、この操作部２９の操作面が前記下側角部１７に露出されている。この操作部２９はこの操作部２９を調整操作するプラスドライバーなどの操作具を嵌合可能に形成されている。
【００３５】
そして、前記嵌合孔１９の内径より大径に形成した前記歯車部２８が前記嵌合孔１９の基端側の開口縁部に当接した状態でこの歯車部２８にて前記回転調整体３０の本体部３５が抜止めされ、この本体部３５の先端側に形成した前記操作部２９が前記開閉体６側に向かって突出しないようになっている。
【００３６】
つぎに、前記実施の形態の作用を説明する。
【００３７】
移動体４に設けたシャフト７の先端側５に上下のカラー２２，２３を介して回動可能に取り付けた図示しない開閉体連結具を開閉体６の上端側に埋設固定し、この開閉体連結具にてシャフト７の先端側５を開閉体６に取り付ける。
【００３８】
また、図４及び図５に示すように、開閉体６に取り付けたシャフト７の基端側の移動体４に軸支した各ガイドローラ３をガイドレール２にそれぞれ係合することにより、これらガイドローラ３にてガイドレール２に開閉体６が開閉移動可能に吊り下げられる。
【００３９】
なお、開閉体６の下端側はこの開閉体６の下端側から下方に向かって突出されている図示しないガイドを有し、このガイドを前記ガイドレール２の下方に位置して床面等に配設された図示しない下部ガイドレールに移動可能に係合する。
【００４０】
つぎに、移動体４の外面である移動体４の下側角部１７に配置した操作部２９の調整操作で回転調整体３０が回転されると、この回転調整体３０の基端側に形成した歯車部２８にてシャフト移動歯車体２７の基端側に形成した被回転歯車部２６が確実に回転されるとともに、シャフト７の外周面に螺合したシャフト移動歯車体２７がシャフト７を上下に移動させる方向に確実に回転される。
【００４１】
すなわち、回転調整体３０の基端側の傘歯車３６及びこの傘歯車３６に噛合したシャフト移動歯車体２７の傘歯車３４にて回転調整体３０の回転が上下方向のシャフト７に螺合したシャフト移動歯車体２７に伝達され、このシャフト移動歯車体２７がシャフト７を上下に移動させる方向に確実に回転される。
【００４２】
また、このシャフト移動歯車体２７の回転でこのシャフト移動歯車体２７にて開閉体６に先端側５を取り付けたシャフト７が図１及び図３に示すように上下方向に確実に移動調整され、このシャフト７の先端側５を取り付けた開閉体６が移動体４に対して上下に移動調整される。
【００４３】
すなわち、シャフト移動歯車体２７が回転されると、このシャフト移動歯車体２７のねじ孔３３に挿通したシャフト７がこのシャフト７の雄ねじ２０とこの雄ねじ２０を螺合したねじ孔３３の雌ねじ３２とにより上下方向に確実に移動され、このシャフト７の先端側５を取り付けた開閉体６が上下方向に確実に移動調整される。また、雄ねじ２０と雌ねじ３２とによりシャフト７の上下方向への移動が微調整される。
【００４４】
また、回転調整体３０の傘歯車３６及びこの傘歯車３６に噛合したシャフト移動歯車体２７の傘歯車３４にてシャフト移動歯車体２７が回転されるとき、このシャフト移動歯車体２７の本体部３１の下端部が上部のカラー２２の当接縁部２４の滑動面に当接してこの滑動面に対して本体部３１の下端部が滑りやすく形成されていることにより、回転調整体３０にてシャフト移動歯車体２７が円滑に回転される。
【００４５】
また、このシャフト移動歯車体２７の傘歯車３４に回転調整体３０の傘歯車３６が噛合していることにより、このシャフト移動歯車体２７が移動体４に形成した嵌合部１３内に嵌合した状態で回転調整体３０にて確実に回転される。
【００４６】
さらに、シャフト移動歯車体２７を回転させる回転調整体３０が移動体４にシャフト７の先端側５から基端側に向かって傾斜して交叉する状態で回転可能に嵌合されていることにより、この回転調整体３０の先端側の操作部２９がシャフト７の先端側５から離れた位置で移動体４の外面である下側角部１７に配設され、シャフト７の先端側５を取り付けた開閉体６によって操作部２９の調整操作がしにくくなることを防止できる。
【００４７】
また、回転調整体３０の基端側に形成した傘歯車３６がシャフト移動歯車体２７の傘歯車３４に噛合した状態でこの回転調整体３０が移動体４に形成した嵌合部１８の嵌合孔１９内に嵌合されていることにより、シャフト７を上下方向に移動調整するとき、回転調整体３０の操作部２９が開閉体６側に移動して突出することがなく、この操作部２９が開閉体６に接近して操作部２９の調整操作がしにくくなることがなく、この操作部２９が移動体４の外面に位置した状態でこの操作部２９にて回転調整体３０が移動体４に嵌合された状態で回転される。
【００４８】
また、シャフト７を上下方向に移動調整するとき、このシャフト７の基端側に形成した被回り止め部２１が移動体４の収容部１２の一端側に形成した回り止め部１４に係合して回り止めされていることにより、シャフト移動歯車体２７の回転でこのシャフト移動歯車体２７にてシャフト７が上下方向に確実に移動調整される。
【００４９】
そして、シャフト７は図１に示す上限位置と図２に示す下限位置との間で上下方向に確実に移動調整される。
【００５０】
したがって、開閉体６に先端側５を取り付けたシャフト７が上下方向に簡単かつ確実に移動調整され、このシャフト７を移動調整するとき、回転調整体３０の操作部２９が開閉体６側に突出することがないのでシャフト７を上下方向に移動調整する調整操作を容易に行なうことができる。
【００５１】
また、移動体４はブロック部材９にて形成され、ブロック部材９は二分割して形成された一対のブロック体９ａ，９ｂをそれぞれの対向面９ｆを接合した状態で着脱可能に固着されていることにより、この一対のブロック体９ａ，９ｂの対向面９ｆに形成した収容室１１内にシャフト移動歯車体２７を備えたシャフト７を簡単に配設することができ、また、この一対のブロック体９ａ，９ｂの対向面９ｆに形成した嵌合孔１８内に歯車部２８を備えた回転調整体３０を簡単に配設することができる。
【００５２】
つぎに、前記実施の形態では、移動体４は二分割して形成した一対のブロック体９ａ，９ｂを着脱可能に固着したブロック部材９にて形成する場合について説明したが、これに限らず、移動体４は一体のブロック部材９にて形成するようにしてもよい。
【００５３】
この場合は、たとえば、図６に示すように、ブロック部材９に収容室１１を形成するとともに、この収容室１１の上部の収容部１２は回転調整体３０を斜め上方から嵌合孔１９内に嵌合可能な大きさに拡開形成する。
【００５４】
また、前記収容室１１の上部の収容部１２には、前記収容室１１の下部の嵌合部１３内にシャフト移動歯車体２７を備えたシャフト７を、嵌合孔１８内に歯車部２８を備えた回転調整体３０をそれぞれ配設した後に前記移動体４の収容部１２にキャップ体３７を着脱可能に嵌合し、このキャップ体３７を図示しないビス等で移動体４に固定する。
【００５５】
前記キャップ体３７に前記シャフト移動歯車体２７の上面に対向する第１の抜止め突部３８をシャフト移動歯車体２７に向かって突出して形成するとともに、前記歯車部２８の上面に対向する第２の抜止め突部３９を歯車部２８に向かって突出して形成し、さらに、前記キャップ体３７の中心部に前記シャフト７の被回り止め部２１が嵌合してこの被回り止め部２１が回り止めされる回り止め部１４を形成する。
【００５６】
その他の構成は前記実施の形態の場合と同様であるから、前記実施の形態の構成と同一構成については、前記実施の形態の説明に用いた符号を記入して説明を省略する。
【００５７】
そして、このように構成することにより、キャップ体３７の第１の抜止め突部３８にてシャフト移動歯車体２７を確実に抜止めでき、第２の抜け止め突部３９にて歯車部２８を確実に抜止めでき、さらに、回り止め部１４にてシャフト７の被回り止め部２１を確実に回り止めでき、キャップ体３７にて収容部１２内に塵埃などが入り込むことを確実に防止できる。
【００５８】
つぎに、前記実施の形態では、開閉体移動装置１の移動体４に軸支した各ガイドローラ３を、建物の開口部の梁、家具の開口部の天板部及び間仕切り部の天井等の上面側に水平状に配設固定した上部のガイドレール２に係合し、移動体４から突出したシャフト７の先端側５を開閉体６の上端側に取り付ける場合について説明したが、これに限らず、開閉体移動装置１を上下に反転し、この開閉体移動装置１の移動体４に軸支した各ガイドローラ３を、前記上部のガイドレール２に対向してこの上部のガイドレール２の下方に位置する床面に配設固定された図示しない下部のガイドレールに係合し、移動体４から突出したシャフト７の先端側５を開閉体６の下端側に取り付けるようにしてもよい。
【００５９】
そして、このように構成することにより、回転調整体３０及びこの回転調整体３０の回転で回転されるシャフト移動歯車体２７にてシャフト７が上下方向に移動調整され、このシャフト７にて開閉体６が下部のガイドレール上の移動体４に対して上下方向に移動調整される。
【００６０】
【発明の効果】
請求項１の発明によれば、開閉体に取り付けるシャフトを上下方向に簡単にかつ確実に調整することができ、回転調整体の歯車部とシャフト移動歯車体の被回転歯車部との噛合回転で回転されるシャフト移動歯車体にてシャフトをスムーズに移動調整することができ、このシャフトを移動調整するとき回転調整体の操作部が移動体から開閉体側に突出することがなく、見栄えがよく、シャフトを上下方向に移動調整する調整操作が容易な開閉体移動装置を提供することができる。
【００６１】
請求項２の発明によれば、請求項１の発明の効果に加え、回転調整体の基端側の傘歯車及びこの傘歯車に噛合したシャフト移動歯車体の傘歯車にて回転調整体の回転をシャフト移動歯車体に伝達してこのシャフト移動歯車体を確実に回転でき、この回転調整体の先端側の操作部をシャフトの先端側から離れた位置で移動体の外面に配設でき、シャフトを取り付けた開閉体によって操作部の調整操作がやりにくくなることを確実に防止できる。
【図面の簡単な説明】
【図１】本発明の一実施の形態を示す開閉体移動装置の一部の断面図である。
【図２】同上開閉体移動装置の平面図である。
【図３】同上移動体からシャフトを下動調整した状態を示す開閉体移動装置の一部の断面図である。
【図４】同上ガイドレールに吊り下げた状態を示す開閉体移動装置の正面図である。
【図５】同上側面図である。
【図６】他の実施の形態を示す開閉体移動装置の断面図である。
【符号の説明】
２    ガイドレール
３    ガイドローラ
４    移動体
５    先端側
６    開閉体
７    シャフト
８    シャフト調整手段
２０    雄ねじ
２６    被回転歯車部
２７    シャフト移動歯車体
２８    歯車部
２９    操作部
３０    回転調整体
３２    雌ねじ
３３    ねじ孔
３４，３６    傘歯車
【図１】
0003597732.tif 000002
【図２】
0003597732.tif 000003
【図３】
0003597732.tif 000004
【図４】
0003597732.tif 000005
【図５】
0003597732.tif 000006
【図６】
0003597732.tif 000007